(57)【要約】【課題】収納された複数枚の紙片を容易に取り出し可能としながらも、複数枚の紙片を収納した状態にて加圧することにより封緘する。【解決手段】重ね合わされて収納された２枚の収納紙片２２ａ，２２ｂが、互いに重ね合わされて接着された２枚の保持片２１ａ，２１ｂにスリット２５ａ，２５ｂ及びタイ部２６ａ，２６ｂによってそれぞれ切り離し可能に保持されており、この２枚の保持片２１ａ，２１ｂ及び２枚の収納紙片２２ａ，２２ｂが表面片１０ａ，１０ｂによって表裏から挟み込まれ、また、保持片２１ａが表面片１０ａと剥離可能に接着されている。【選択図】図１
2010162840.tif 000002
【特許請求の範囲】
【請求項１】
重ね合わされた複数枚の紙片を取り出し可能に収納する紙片収納体であって、
前記紙片を切り離し可能に保持し、互いに重ね合わされて接着された複数枚の保持片と、
前記重ね合わされた複数枚の保持片及び該複数枚の保持片にそれぞれ保持された複数枚の紙片を表裏から挟み込み、前記重ね合わされた複数枚の保持片のうち表裏に表出した保持片とそれぞれ接着された表面片とを有し、
前記表面片は、前記重ね合わされた複数枚の保持片のうち表裏に表出した保持片の少なくとも一方と剥離可能に接着されている紙片収納体。
【発明の詳細な説明】
【技術分野】
【０００１】
本発明は、複数枚の紙片を取り出し可能に収納する紙片収納体に関し、特に、加圧することにより接着する圧着技術を用いた紙片収納体に関する。
【背景技術】
【０００２】
従来より、ダイレクトメール等といった郵送等によって送付される送付物においては、差出人が受取人に通知したい情報が文字や画像として所定の用紙に印字されており、そのほとんどが、封筒等の袋に封入、封緘され、袋体として受取人に送付されている。このような袋体は、送付物の種類や送付先に応じて決められた組み合わせの印刷物が丁合され、封筒等の袋に封入されて構成される。
【０００３】
近年、このような複数枚の印刷物を綴じ合わせて封筒とする技術が考えられている（例えば、特許文献１参照。）。この技術においては、封筒外形紙の封筒内面となる片面側に複数枚の印刷物が綴じ合わされ、複数枚の印刷物が内方となるように封筒外形紙が折り合わされ、封筒外形紙の３辺に沿う領域にて封緘されることにより、複数枚の印刷物が取り出し可能に収納されることになり、収納される印刷物の欠落を防止することができるようになる。
【先行技術文献】
【特許文献】
【０００４】
【特許文献１】特開平９−３２３７３２号公報
【発明の概要】
【発明が解決しようとする課題】
【０００５】
近年、加圧することにより接着する圧着技術を用いたはがきが利用されている。このはがきは、加圧することにより接着作用が生じる感圧接着剤を連接した複数のはがき紙片に塗布しておき、その後、はがき紙片を折り畳み加圧することにより、折り畳まれたはがき紙片どうしが剥離可能に接着されるものであり、この圧着技術を用いることにより、利用者ははがき紙片どうしを容易に剥離し、はがき紙片に表示された情報を視認することができる。そこで、上述したような複数枚の印刷物を取り出し可能に収納するものにおいても、このような圧着技術を用いることにより、収納された印刷物を利用者が容易に取り出すことができるようになる。
【０００６】
ところが、複数枚の印刷物が内方となるように封筒外形紙が折り合わされ、封筒外形紙の３辺に沿う領域にて封緘されるものにおいては、複数枚の印刷物が重ね合わされた領域と、封緘される領域となる封筒外形紙の３辺に沿う領域とで厚さが異なることになるため、複数枚の印刷物が収納された状態で加圧した場合、その加圧による圧力が封緘される領域に加わらず、封緘することができないという問題点がある。
【０００７】
本発明は、上述したような従来の技術が有する問題点に鑑みてなされたものであって、収納された複数枚の紙片を容易に取り出し可能としながらも、複数枚の紙片を収納した状態にて加圧することにより封緘することができる紙片収納体を提供することを目的とする。
【課題を解決するための手段】
【０００８】
上記目的を達成するために本発明は、
重ね合わされた複数枚の紙片を取り出し可能に収納する紙片収納体であって、
前記紙片を切り離し可能に保持し、互いに重ね合わされて接着された複数枚の保持片と、
前記重ね合わされた複数枚の保持片及び該複数枚の保持片にそれぞれ保持された複数枚の紙片を表裏から挟み込み、前記重ね合わされた複数枚の保持片のうち表裏に表出した保持片とそれぞれ接着された表面片とを有し、
前記表面片は、前記重ね合わされた複数枚の保持片のうち表裏に表出した保持片の少なくとも一方と剥離可能に接着されている。
【０００９】
上記のように構成された本発明においては、重ね合わされて収納された複数枚の紙片が、互いに重ね合わされて接着された複数枚の保持片にそれぞれ切り離し可能に保持されており、この複数枚の保持片及び複数枚の紙片が表面片によって表裏から挟み込まれているので、複数枚の紙片が収納された領域とそれ以外の領域とで厚さが異なることがなく、複数枚の紙片を収納した状態にて加圧し、表面片と保持片とを接着することにより封緘することができる。また、重ね合わされた複数枚の保持片のうち表裏に表出した保持片の少なくとも一方の保持片が表面片と剥離可能に接着されているので、剥離可能に接着された保持片と表面片とを剥離することにより、収納された複数枚の紙片を取り出すことができる。
【発明の効果】
【００１０】
以上説明したように本発明においては、重ね合わされた複数枚の紙片を取り出し可能に収納する紙片収納体であって、紙片を切り離し可能に保持し、互いに重ね合わされて接着された複数枚の保持片と、重ね合わされた複数枚の保持片及び複数枚の紙片を表裏から挟み込み、重ね合わされた複数枚の保持片のうち表裏に表出した保持片とそれぞれ接着された表面片とを有し、表面片が、重ね合わされた複数枚の保持片のうち表裏に表出した保持片の少なくとも一方と剥離可能に接着されている構成としたため、収納された複数枚の紙片を容易に取り出し可能としながらも、複数枚の紙片を収納した状態にて加圧することにより封緘することができる
【図面の簡単な説明】
【００１１】
【図１】本発明の紙片収納体の第１の実施の形態となる紙片収納はがきの構成を示す図であり、（ａ）は正面図、（ｂ）は（ａ）に示したＡ−Ａ’断面図、（ｃ）は展開した状態の一方の面を示す図、（ｄ）は展開した状態の他方の面を示す図である。
【図２】図１に示した紙片収納はがきの使用方法を説明するための図である。
【図３】本発明の紙片収納体の第２の実施の形態となる紙片収納はがきの構成を示す図であり、（ａ）は正面図、（ｂ）は（ａ）に示したＡ−Ａ’断面図、（ｃ）は展開した状態の一方の面を示す図、（ｄ）は展開した状態の他方の面を示す図である。
【図４】図３に示した紙片収納はがきの使用方法を説明するための図である。
【発明を実施するための形態】
【００１２】
以下に、本発明の実施の形態について図面を参照して説明する。
【００１３】
（第１の実施の形態）
図１は、本発明の紙片収納体の第１の実施の形態となる紙片収納はがきの構成を示す図であり、（ａ）は正面図、（ｂ）は（ａ）に示したＡ−Ａ’断面図、（ｃ）は展開した状態の一方の面を示す図、（ｄ）は展開した状態の他方の面を示す図である。
【００１４】
本形態は図１に示すように、２枚の表面片１０ａ，１０ｂと２枚の中間片２０ａ，２０ｂとが折り部４０ａ〜４０ｃを介して折り畳み可能に連接して構成されている。表面片１０ａと中間片２０ａとが折り部４０ａを介して連接し、２枚の中間片２０ａ，２０ｂが折り部４０ｂを介して互いに連接し、中間片２０ｂと表面片１０ｂとが折り部４０ｃを介して連接している。折り部４０ａ〜４０ｃは、ミシン目や筋押しによる折り線等で構成されている。
【００１５】
表面片１０ａは、折り部４０ａを介して折り畳まれた場合に外側となる面に、この紙片収納はがき１の送付先の住所や氏名等を示す宛先情報１２が印刷されており、また、折り部４０ａを介して折り畳まれた場合に内側となる面には、その周縁部に剥離可能層３１が積層されているとともに、剥離可能層３１が積層されていない領域に通知情報１３ａが印刷されている。剥離可能層３１は、折り部４０ａを介して表面片１０ａと中間片２０ａとを折り畳んで加圧した場合にこれらを互いに接着し、接着後の剥離を可能、再接着を不可とするものであって、感圧接着剤や、その他に、例えば、０．５Ｍｐａ以上１０Ｍｐａ以下の圧力でシートどうしを接着可能な非感圧性の水性エマルジョン粘着剤を用いることが考えられる。また、表面片１０ａの折り部４０ａと対向する辺の角部に切り欠き１１が形成されている。
【００１６】
表面片１０ｂは、折り部４０ｃを介して折り畳まれた場合に外側となる面に、この紙片収納はがき１の送付先に通知すべき通知情報１３ｂが印刷されており、また、折り部４０ｃを介して折り畳まれた場合に内側となる面には、その周縁部に剥離可能層３１が積層されている。
【００１７】
中間片２０ａは、この紙片収納はがき１に収納される紙片となる収納紙片２２ａと、収納紙片２２ａを保持する保持片２１ａとから構成されており、収納紙片２２ａは、保持片２１ａとの境界に形成されたスリット２５ａ及びタイ部２６ａによって保持片２１ａに切り離し可能に保持されている。この収納紙片２２ａには、その両面に、この紙片収納はがき１の送付先に通知すべき通知情報２３ａ，２４ａがそれぞれ印刷されており、また、折り部４０ｂを介して折り畳まれた場合に内側となる面の一部に粘着剤３２が塗布されている。また、保持片２１ａの両面の周縁部には剥離可能層３１が積層されている。
【００１８】
中間片２０ｂは、この紙片収納はがき１に収納される紙片となる収納紙片２２ｂと、収納紙片２２ｂを保持する保持片２１ｂとから構成されており、収納紙片２２ｂは、保持片２１ｂとの境界に形成されたスリット２５ｂ及びタイ部２６ｂによって保持片２１ｂに切り離し可能に保持されている。この収納紙片２２ｂには、その両面に、この紙片収納はがき１の送付先に通知すべき通知情報２３ｂ，２４ｂがそれぞれ印刷されており、また、折り部４０ｂを介して折り畳まれた場合に内側となる面のうち、中間片２０ａに塗布された粘着剤３２に対向する領域に粘着剤３２が塗布されている。また、保持片２１ｂの両面の周縁部には剥離可能層３１が積層されている。
【００１９】
上記のように構成された紙片収納はがき１においては、表面片１０ａと中間片２０ａとが、宛先情報１２及び通知情報２３ａが印刷された面が外側になるように折り部４０ａを介して折り畳まれて剥離可能層３１によって剥離可能に接着され、２枚の中間片２０ａ，２０ｂが、通知情報２４ａ，２４ｂが印刷された面が外側になるように折り部４０ｂを介して折り畳まれて保持片２１ａ，２１ｂが剥離可能層３１によって剥離可能に接着されるとともに収納紙片２２ａ，２２ｂが粘着剤３２によって接着され、表面片１０ｂと中間片２０ｂとが、通知情報１３ｂ，２３ｂが印刷された面が外側になるように折り部４０ｃを介して折り畳まれて剥離可能層３１によって剥離可能に接着される。そのため、剥離可能層３１は、表面片１０ａ，１０ｂ及び中間片２０ａ，２０ｂのうち、上記のように折り畳まれた場合に互いに対向する領域に積層されていることになる。
【００２０】
これにより、紙片収納はがき１が、表面片１０ａ，１０ｂ及び中間片２０ａ，２０ｂが折り部４０ａ〜４０ｃを介して折り畳まれた状態においては、２枚の収納紙片２２ａ，２２ｂが互いに重ね合わされるとともに、２枚の保持片２１ａ，２１ｂが互いに重ね合わされて接着され、中間片２０ａ，２０ｂが表面片１０ａ，１０ｂに表裏から挟み込まれ、中間片２０ａ，２０ｂの保持片２１ａ，２１ｂが、表面片１０ａ，１０ｂと剥離可能に接着されていることになる。
【００２１】
また、上記のように構成された紙片収納はがき１においては、上述したように折り畳まれた後に、加圧することによって剥離可能層３１を用いて表面片１０ａ，１０ｂ及び中間片２０ａ，２０ｂを互いに剥離可能に接着することになるが、互いに重ね合わされた状態で紙片収納はがき１に収納された収納紙片２２ａ，２２ｂが、互いに重ね合わされて接着された保持片２１ａ，２１ｂにスリット２５ａ，２５ｂ及びタイ部２６ａ，２６ｂよってそれぞれ切り離し可能に保持されており、この収納紙片２２ａ，２２ｂ及び保持片２１ａ，２１ｂからなる中間片２０ａ，２０ｂが表面片１０ａ，１０ｂによって表裏から挟み込まれているので、収納紙片２２ａ，２２ｂが収納された領域とそれ以外の領域とで厚さが異なることがなくなり、表面片１０ａ，１０ｂと保持片２１ａ，２１ｂとを加圧して接着することにより封緘することができる。
【００２２】
以下に、上記のように構成された紙片収納はがき１の使用方法について説明する。
【００２３】
図２は、図１に示した紙片収納はがき１の使用方法を説明するための図である。
【００２４】
図１に示した紙片収納はがき１は、上述したように折り畳まれた状態で、表面片１０ａに印刷された宛先情報１２に従って送付先に送付される。
【００２５】
紙片収納はがき１が送付先に届けられた後、まず、図２（ａ）に示すように、表面片１０ａに形成された切り欠き１１を摘み代として引き上げ、表面片１０ａを中間片２０ａから剥離していく。表面片１０ａと中間片２０ａとは、その周縁部にて剥離可能層３１によって剥離可能に接着されているため、表面片１０ａを切り欠き１１を摘み代として引き上げるだけで容易に剥離することができる。
【００２６】
表面片１０ａと中間片２０ａとを剥離し、表面片１０ａと中間片２０ａとを見開くと、図２（ｂ）に示すように、表面片１０ａの中間片２０ａとの接着面に印刷された通知情報１３ａが視認可能となるとともに、中間片２０ａの収納紙片２２ａの表面片１０ａとの接着面に印刷された通知情報２４ａが視認可能な状態となる。
【００２７】
そして、図２（ｃ）に示すように、収納紙片２２ａ，２２ｂと保持片２１ａ，２１ｂとの境界に形成されたスリット２５ａ，２５ｂ間のタイ部２６ａ，２６ｂを破断して収納紙片２２ａ，２２ｂを保持片２１ａ，２１ｂから分離し、収納紙片２２ａ，２２ｂを紙片収納はがき１から取り出す。
【００２８】
紙片収納はがき１から取り出された収納紙片２２ａ，２２ｂは、互いに対向する面の一部に塗布された粘着剤３２によって接着されているため、図２（ｄ）に示すように、粘着剤３２によって接着された領域を中心として見開かれる状態となり、それにより、収納紙片２２ａ，２２ｂの表裏に印刷された通知情報２３ａ，２３ｂ，２４ａ，２４ｂが視認可能となり、紙片収納はがき１の送付先に通知されることになる。なお、粘着剤３２としては、収納紙片２２ａ，２２ｂを貼着後の剥離が困難となるものや、収納紙片２２ａ，２２ｂを貼着後の剥離が可能となるもの等、用途に応じて適宜選択することとなる。粘着剤３２として収納紙片２２ａ，２２ｂを貼着後の剥離が困難となるものを用いた場合は、収納紙片２２ａ，２２ｂが粘着剤３２によって接着された領域を中心として見開かれるものとなり、粘着剤３２として収納紙片２２ａ，２２ｂを貼着後の剥離が可能となるものを用いた場合は、紙片収納はがき１から収納紙片２２ａ，２２ｂを取り出した後に、収納紙片２２ａ，２２ｂを分離して利用可能なものとなる。
【００２９】
このように本形態においては、重ね合わされて収納された２枚の収納紙片２２ａ，２２ｂが、互いに重ね合わされて接着された２枚の保持片２１ａ，２１ｂにスリット２５ａ，２５ｂ及びタイ部２６ａ，２６ｂによってそれぞれ切り離し可能に保持されており、この２枚の保持片２１ａ，２１ｂ及び２枚の収納紙片２２ａ，２２ｂが表面片１０ａ，１０ｂによって表裏から挟み込まれているので、２枚の収納紙片２２ａ，２２ｂが収納された領域とそれ以外の領域とで厚さが異なることがなく、２枚の収納紙片２２ａ，２２ｂを収納した状態にて加圧し、表面片１０ａ，１０ｂと保持片２１ａ，２１ｂとを接着することにより封緘することができる。また、保持片２１ａが表面片１０ａと剥離可能に接着されているので、剥離可能に接着された保持片２１ａと表面片１０ａとを剥離することにより、収納された収納紙片２２ａ，２２ｂを容易に取り出すことができる。
【００３０】
（第２の実施の形態）
図３は、本発明の紙片収納体の第２の実施の形態となる紙片収納はがきの構成を示す図であり、（ａ）は正面図、（ｂ）は（ａ）に示したＡ−Ａ’断面図、（ｃ）は展開した状態の一方の面を示す図、（ｄ）は展開した状態の他方の面を示す図である。
【００３１】
本形態は図３に示すように、第１の実施の形態に示したものに対して、剥離可能層１３１が、表面片１１０ａ，１１０ｂ及び中間片１２０ａ，１２０ｂの周縁部ではなく１辺に沿う領域のみに積層されている点と、２枚の収納紙片１２２ａ，１２２ｂが接着されていない点のみが異なるものである。なおこの場合においても、剥離可能層１３１は、表面片１１０ａと中間片１２０ａとが、宛先情報１１２及び通知情報１２３ａが印刷された面が外側になるように折り部１４０ａを介して折り畳まれ、２枚の中間片１２０ａ，１２０ｂが、通知情報１２４ａ，１２４ｂが印刷された面が外側になるように折り部１４０ｂを介して折り畳まれ、表面片１１０ｂと中間片１２０ｂとが、通知情報１１３ｂ，１２３ｂが印刷された面が外側になるように折り部１４０ｃを介して折り畳まれた場合に互いに対向する領域に積層されていることになるが、その領域は、上記のように折り畳まれた場合に表面片１１０ａ，１１０ｂ及び中間片１２０ａ，１２０ｂの見開き状態における手前側の辺に沿う領域となる。
【００３２】
上記のように構成された紙片収納はがき１０１においては、表面片１１０ａと中間片１２０ａとが、宛先情報１１２及び通知情報１２３ａが印刷された面が外側になるように折り部１４０ａを介して折り畳まれて剥離可能層１３１によって剥離可能に接着され、２枚の中間片１２０ａ，１２０ｂが、通知情報１２４ａ，１２４ｂが印刷された面が外側になるように折り部１４０ｂを介して折り畳まれて保持片１２１ａ，１２１ｂが剥離可能層１３１によって剥離可能に接着され、表面片１１０ｂと中間片１２０ｂとが、通知情報１１３ｂ，１２３ｂが印刷された面が外側になるように折り部１４０ｃを介して折り畳まれて剥離可能層１３１によって剥離可能に接着される。
【００３３】
これにより、紙片収納はがき１０１が、表面片１１０ａ，１１０ｂ及び中間片１２０ａ，１２０ｂが折り部１４０ａ〜１４０ｃを介して折り畳まれた状態においては、２枚の収納紙片１２２ａ，１２２ｂが互いに重ね合わされるとともに、２枚の保持片１２１ａ，１２１ｂが互いに重ね合わされて接着され、中間片１２０ａ，１２０ｂが表面片１１０ａ，１１０ｂに表裏から挟み込まれ、中間片１２０ａ，１２０ｂの保持片１２１ａ，１２１ｂが、表面片１１０ａ，１１０ｂと剥離可能に接着されていることになる。
【００３４】
また、上記のように構成された紙片収納はがき１０１においては、上述したように折り畳まれた後に、加圧することによって剥離可能層１３１を用いて表面片１１０ａ，１１０ｂ及び中間片１２０ａ，１２０ｂを互いに剥離可能に接着することになるが、互いに重ね合わされた状態で紙片収納はがき１０１に収納された収納紙片１２２ａ，１２２ｂが、互いに重ね合わされて接着された保持片１２１ａ，１２１ｂにスリット１２５ａ，１２５ｂ及びタイ部１２６ａ，１２６ｂによってそれぞれ切り離し可能に保持されており、この収納紙片１２２ａ，１２２ｂ及び保持片１２１ａ，１２１ｂからなる中間片１２０ａ，１２０ｂが表面片１１０ａ，１１０ｂによって表裏から挟み込まれているので、収納紙片１２２ａ，１２２ｂが収納された領域とそれ以外の領域とで厚さが異なることがなくなり、表面片１１０ａ，１１０ｂと保持片１２１ａ，１２１ｂとを加圧して接着することにより封緘することができる。
【００３５】
以下に、上記のように構成された紙片収納はがき１０１の使用方法について説明する。
【００３６】
図４は、図３に示した紙片収納はがき１０１の使用方法を説明するための図である。
【００３７】
図３に示した紙片収納はがき１０１は、上述したように折り畳まれた状態で、表面片１１０ａに印刷された宛先情報１１２に従って送付先に送付される。
【００３８】
紙片収納はがき１０１が送付先に届けられた後、まず、図４（ａ）に示すように、表面片１１０ａに形成された切り欠き１１１を摘み代として引き上げ、表面片１１０ａを中間片１２０ａから剥離していく。表面片１１０ａと中間片１２０ａとは、見開き状態における手前側の辺に沿う領域にて剥離可能層１３１によって剥離可能に接着されているため、表面片１１０ａを切り欠き１１１を摘み代として引き上げるだけで容易に剥離することができる。
【００３９】
表面片１１０ａと中間片１２０ａとを剥離し、表面片１１０ａと中間片１２０ａとを見開くと、図４（ｂ）に示すように、表面片１１０ａの中間片１２０ａとの接着面に印刷された通知情報１１３ａが視認可能となるとともに、中間片１２０ａの収納紙片１２２ａの表面片１１０ａとの接着面に印刷された通知情報１２４ａが視認可能な状態となる。
【００４０】
そして、図４（ｃ）に示すように、収納紙片１２２ａ，１２２ｂと保持片１２１ａ，１２１ｂとの境界に形成されたスリット１２５ａ，１２５ｂ間のタイ部１２６ａ，１２６ｂを破断して収納紙片１２２ａ，１２２ｂを保持片１２１ａ，１２１ｂから分離し、収納紙片１２２ａ，１２２ｂを紙片収納はがき１０１から取り出す。
【００４１】
紙片収納はがき１０１から取り出された収納紙片１２２ａ，１２２ｂは、図４（ｄ）に示すように互いに分離され、それにより、収納紙片１２２ａ，１２２ｂの表裏に印刷された通知情報１２３ａ，１２３ｂ，１２４ａ，１２４ｂが視認可能となり、紙片収納はがき１０１の送付先に通知されることになる。
【００４２】
このように本形態においては、重ね合わされて収納された２枚の収納紙片１２２ａ，１２２ｂが、互いに重ね合わされて接着された２枚の保持片１２１ａ，１２１ｂにスリット１２５ａ，１２５ｂ及びタイ部１２６ａ，１２６ｂによってそれぞれ切り離し可能に保持されており、この２枚の保持片１２１ａ，１２１ｂ及び２枚の収納紙片１２２ａ，１２２ｂが表面片１１０ａ，１１０ｂによって表裏から挟み込まれているので、２枚の収納紙片１２２ａ，１２２ｂが収納された領域とそれ以外の領域とで厚さが異なることがなく、２枚の収納紙片１２２ａ，１２２ｂを収納した状態にて加圧し、表面片１１０ａ，１１０ｂと保持片１２１ａ，１２１ｂとを接着することにより封緘することができる。また、保持片１２１ａが表面片１１０ａと剥離可能に接着されているので、剥離可能に接着された保持片１２１ａと表面片１１０ａとを剥離することにより、収納された収納紙片１２２ａ，１２２ｂを容易に取り出すことができる。
【００４３】
なお、上述した２つの実施の形態においては、２枚の表面片１０ａ，１０ｂ，１１０ａ，１１０ｂがそれぞれ剥離可能層３１，１３１によって保持片２１ａ，２１ｂ，１２１ａ，１２１ｂと剥離可能に接着されているが、収納紙片２２ａ，２２ｂ，１２２ａ，１２２ｂを紙片収納はがき１，１０１から取り出すために２枚の表面片１０ａ，１０ｂ，１１０ａ，１１０ｂのうち少なくとも一方が剥離可能層３１，１３１によって保持片２１ａ，２１ｂ，１２１ａ，１２１ｂに剥離可能に接着されていれば、他方の表面片は保持片に対して剥離可能である必要はない。また、２枚の保持片２１ａ，２１ｂ，１２１ａ，１２１ｂについても、互いに剥離可能である必要はない。
【００４４】
また、２枚の表面片１０ａ，１０ｂ，１１０ａ，１１０ｂと２枚の中間片２０ａ，２０ｂ，１２０ａ，１２０ｂとは、２枚の保持片２１ａ，２１ｂ，１２１ａ，１２１ｂが互いに接着され、２枚の保持片２１ａ，２１ｂ，１２１ａ，１２１ｂが表面片１０ａ，１０ｂ，１１０ａ，１１０ｂによって挟み込まれる構成であれば、これらが連接していなくてもよい。
【００４５】
また、中間片２０ａ，２０ｂ，１２０ａ，１２０ｂの数は複数であれば２つに限らず、それぞれにおいて収納紙片が保持片に切り離し可能に保持されていればよい。
【符号の説明】
【００４６】
１，１０１    紙片収納はがき
１０ａ，１０ｂ，１１０ａ，１１０ｂ    表面片
１１，１１１    切り欠き
１２，１１２    宛先情報
１３ａ，１３ｂ，２３ａ，２３ｂ，２４ａ，２４ｂ，１１３ａ，１１３ｂ，１２３ａ，１２３ｂ，１２４ａ，１２４ｂ    通知情報
２０ａ，２０ｂ，１２０ａ，１２０ｂ    中間片
２１ａ，２１ｂ，１２１ａ，１２１ｂ    保持片
２２ａ，２２ｂ，１２２ａ，１２２ｂ    収納紙片
２５ａ，２５ｂ，１２５ａ，１２５ｂ    スリット
２６ａ，２６ｂ，１２６ａ，１２６ｂ    タイ部
３１，１３１    剥離可能層
３２    粘着剤
４０ａ〜４０ｃ，１４０ａ〜１４０ｃ    折り部
【図１】
2010162840.tif 000003
【図２】
2010162840.tif 000004
【図３】
2010162840.tif 000005
【図４】
2010162840.tif 000006